(57)【要約】気力輸送されて来た粉体を導入する材料測定路を横断する方向に一対のパージガス導入路を設けるとともに、その一対のパージガス導入路を通じて上記材料測定路に透視するように一対の透光窓を設け、それぞれの透光窓の一方には投光器を、他方には受光器を対設し、更に上記投光器より照射した光ビームを上記材料測定路内に照射したときに、上記受光器が受光する光量に基づいて、粉体濃度を演算する粉体濃度演算制御手段を設けた構成にしている、粉体濃度測定器。
2004005900.tif 000002
【特許請求の範囲】
【請求項１】
気力輸送されて来た粉体を導入する材料測定路を横断する方向に一対のパージガス導入路を設けるとともに、その一対のパージガス導入路を通じて上記材料測定路に透視するように一対の透光窓を設け、それぞれの透光窓の一方には投光器を、他方には受光器を対設し、更に上記投光器より照射した光ビームを上記材料測定路内に照射したときに、上記受光器が受光する光量に基づいて、粉体濃度を演算する粉体濃度演算制御手段を設けた構成にしている、粉体濃度測定器。
【請求項２】
請求の範囲第１項において、
上記材料測定路は、管路内を通じて粉体を気力輸送させる材料輸送管路に接続され、その材料輸送管路と同等か、それより大きい内口径を有している粉体濃度測定器。
【請求項３】
粉体を貯留した材料貯留室に、圧縮空気もしくは圧縮空気を用いて発生させた脈動空気の導入口と粉体吐出口を形成した分散室を設けて成る粉体噴霧装置と、
上記粉体吐出口に、材料輸送管路を通じて接続された、請求の範囲第１項または第２項に記載の粉体濃度測定器と、
この粉体濃度測定器によって測定された粉体濃度と、予め設定された制御目標濃度とを比較して、上記粉体噴霧装置の分散室に送給される圧縮空気もしくは圧縮空気を用いて発生させた脈動空気の風量、振動数あるいは上記材料貯留室に貯留される粉体貯留量のうちの少なくとも１つ以上の制御因子を制御する制御手段とを備えた、粉体噴霧量自動制御システム。
【請求項４】
請求の範囲第３項において、
上記粉体噴霧装置が、外部滑沢打錠機の滑沢剤噴霧手段として構成されている粉体噴霧量自動制御システム。
【発明の詳細な説明】
【技術分野】  本発明は、光透過式の粉体濃度測定器の改良に関し、特に、構造が簡単で粉体の濃度を正確に測定することができる粉体濃度測定器及びこれを用いた粉体噴霧量自動制御システムに関する。
【背景技術】  光透過式の粉体濃度測定器は公知である。
第４図は、特開平５−１２６７３８号において提案されている従来のこの種の粉体濃度測定器を概略的に示す構成図である。
直状の材料測定管１００の上下端に所定角度θ、θで相互に遠ざかる方向に傾斜屈曲する材料導入管１０１、材料導出管１０２を延設し、更に材料測定管１００のそれぞれの一端には、投光器Ｓ、受光器Ｒを内部に配設した枝管路１０３，１０４を延設して、投光器Ｓと受光器Ｒを、材料測定管１００の両端で対向配置させている。ここに、投光器Ｓから照射される光ビームは直線性に優れた光ビームが使用されている。
また、枝管路１０３、１０４の各々は、透孔１０３ａ，１０４ａを形成しており、投光器Ｓと受光器Ｒの光軸Ｌは、これらの透孔１０３ａ，１０４ａに合致するように配置され、このような枝管路１０３，１０４の各々には、バルブ１０５，１０６を通じて、加圧エアー源（不図示）に接続されている。
したがって、このような構成によれば、材料測定管１００内に粉体材料を導入する前に、バルブ１０５，１０６をともに開いて、双方の枝管路１０３，１０４内に加圧ガスを導入することによって枝管路１０３，１０４の内圧を材料測定管１００よりも高くし、枝管路１０３、１０４内に材料測定管１００内を移動する粉体が入り込まないようにするが、材料輸送管１００内で移動する気流の流れを乱さない程度に内圧を保持し、その後、材料測定管１００に粉体を導入して、粉体の材料測定管１００の一方端に配置した投光器Ｓから光ビームを受光器Ｒに向かって照射すれば、その光ビームは、材料測定管１００を通過して、対向配置された受光器Ｒで受光されるが、その途中で材料測定管１００内に導入されて輸送されている粉体によって光が吸収、散乱されるため、受光器Ｒには減衰された光が受光される。
したがって、このような測定器では、投光器Ｓから照射される光ビームが受光器Ｒによって受光されたときの受光量の減衰度合いを測定することによって、輸送ガスと混和されて材料測定管１００内を移送される粉体の濃度が間接的に測定できる。
しかしながら、このような従来の粉体濃度測定器は、材料測定管１００の両端に投光器Ｓと受光器Ｒを対向配置させ、材料輸送管１００の両端に材料導入管１０１、材料導出管１０２を屈曲突出させた複雑な構造であるため、設置には十分な面積が必要である。
また、材料測定管１００に導入される粉体は、そこに導入する直前と、排出される直後で、材料導入管１０１、材料導出管１０２によって進路が変更されて速度変化を受けてしまい、更に、材料測定管１００の両端に設けた枝管路１０３，１０４からはガス圧を作用させており、結果として制御上重要な材料測定管の先方における粉体濃度とは異なる濃度を測定してしまい、誤差が大きい。
更に、材料測定管１００内を気力輸送される粉体の輸送を止める前に、枝管路１０３，１０４へのガス圧の供給は停止することが出来ず、万一制御ミスなどによって、ガス圧を停止してしまうと、材料測定管１００内を気力輸送される粉体が透孔１０３ａ，１０４ａから枝管路１０３，１０４に入り込み、投光器Ｓ，受光器Ｒを粉体で汚染してしまうなどの問題があった。
加えて、このような構造の測定器では、材料測定管１００内を気力輸送される粉体の濃度が安定化するまでに時間を要し、そのため粉体濃度をリアルタイムに測定できないなどの問題もあり、改善が望まれている。
【発明の開示】
本発明は、以上のような問題を解決するためになされたものであって、投光器や受光器が、輸送管内を気力輸送される粉体によって汚染されることがなく、構造が簡単で、気力輸送される粉体濃度を正確に測定できる粉体濃度測定器を提供することを目的としている。
したがって、上記目的を達成するため本発明は次のような粉体濃度測定器と、これを用いた粉体噴霧量自動制御システムを提案するものである。
ここに、請求の範囲第１項に記載の粉体濃度測定器は、気力輸送されて来た粉体を導入する材料測定路を横断する方向に一対のパージガス導入路を設けるとともに、その一対のパージガス導入路を通じて上記材料測定路に透視するように一対の透光窓を設け、それぞれの透光窓の一方には投光器を、他方には受光器を対設し、更に上記投光器より照射した光ビームを上記材料測定路内に照射して上記受光器で受光量を検出し、その検出した受光量と初期受光量とを比較して得た減衰光量に基づいて粉体濃度を算出する粉体濃度演算制御手段を備えた構成にしている。
また、請求の範囲第２項に記載の粉体濃度測定器は、請求の範囲第１項において、上記材料測定路は、管路内を通じて粉体を気力輸送させる材料輸送管路に接続され、材料測定路の内口径と同等か、それよりも大きい内口径を有している。
更に、請求の範囲第３項では、粉体噴霧量自動制御システムが提案されている。
ここに提案する粉体噴霧量自動制御システムは、粉体を貯留した材料貯留室に、圧縮空気もしくは圧縮空気を用いて発生させた脈動空気のための導入口と粉体吐出口を形成して成る分散室を設けた粉体噴霧装置と、上記粉体吐出口に、材料輸送管路を通じて接続された、請求の範囲第１項または第２項に記載の粉体濃度測定器と、この粉体濃度測定器によって測定された粉体濃度と、予め設定された制御目標濃度とを比較して、上記粉体噴霧装置の分散室に送給される圧縮空気もしくは圧縮空気を用いて発生させた脈動空気の風量、振動数あるいは上記材料貯留室に貯留される粉体貯留量のうちの少なくとも１つ以上の制御因子を制御する制御手段とを備えている。
また、請求の範囲第４項では、外部滑沢打錠機の滑沢剤噴霧器として使用される粉体噴霧装置を備えた粉体噴霧量自動制御システムを提案している。
【図面の簡単な説明】  第１図は、本発明に係る粉体濃度測定器の概略構成を示す縦断面構造図である。
第２図は、本発明の粉体噴霧量自動制御システムの基本構成を示す図である。
第３図（ａ）〜（ｃ）は、粉体噴霧装置の噴霧原理を説明する図である。
第４図は、従来の光透過式粉体濃度測定器の基本構造を示す図である。
【発明を実施するための最良の形態】  以下、本発明の一実施例を図面を参照しながら説明する。
第１図は、本発明に係る粉体濃度測定器の基本構造を概略的に示す要部縦断面図である。
この粉体濃度測定器Ａは、材料導出路１ａを内部に形成した材料導出ブロック１と、後述する材料測定路２ａと、パージガス導入路２ｂとを内部に形成した測定ブロック２と、光ビームなどを照射する投光器Ｓと、照射された光ビームを電気信号に変換して検出する受光器Ｒとを、その上面に対向配置した基台３と、粉体を輸送する材料輸送管路８が接続される、材料導入路４ａを形成した材料導入ブロック４とを備えており、図例では、濃度測定の対象となる粉体は、材料導入ブロック４の下方から、材料導入路４ａに入り、更に基台３の連通路３ａを通じて、その上方に位置した測定ブロック２の材料測定路２ａ内に入り、そこで測定されるようになっている。なお、８ａは、そこに材料輸送管路８を接続するための接続部である。
粉体濃度測定器Ａの構造を更に詳細に説明すると、基台３の下面中央には上方側に底部を形成した椀状の凹所３ｂが形成されており、その凹所３ｂには、材料導入ブロック４側に形成した上方に突出する突部４ｂを嵌合させることによって、互いにずれを生じることなく完全な状態に嵌合されるようにしている。
また、測定ブロック２は、この基台３の上面中央に形成した凹所３ｃに、測定ブロック２の下面に形成した凸部２ｄを嵌合させて整合状態に載置されており、その測定ブロック２の上面に対応して形成した凹部２ｅには、材料導出ブロックの下面に形成した凸部１ｂを嵌合させて載置している。
なお、粉体濃度測定器Ａにおいて、基台３、材料導出ブロック４が接地（アース）され、静電気を除電する構造（図示せず）となっていてもよい。
測定ブロック２は、上下方向に走る材料測定路２ａを横断する方向に、一対のパージガス導入路２ｂ、２ｂを対向配置させており、それぞれのパージガス導入路２ｂ、２ｂの外方に通じる開口部は、透明度の高い硬質材料、例えば、硬質塩化ビニル樹脂などで封止されて、一対の透光窓５，５を形成している。
そして、この一対の透光窓５，５、パージガス導入路２ｂ、２ｂとは整合状態に配置されており、一方の透光窓５から材料測定路２ａを通じて他方の透光窓５が透視できるようになっている。また、一対の透光窓５，５の一方５には投光器Ｓを、他方５には、受光器Ｒを、それぞれの光軸Ｌを合致させて対向配置している。ここに、光軸Ｌを合致させる方法は特に限定しないが、例えば、基台３に投光器Ｓと受光器Ｒとの光軸を合致させるためのセンサガイド溝を備えることにより、光軸Ｌを精度よく合致させることができる。
測定ブロック２の上面の両側部には、外部から供給されたパージガスＰＧ（加圧ガス）を導入するために、一対のパージガス導入口２ｃ、２ｃが、上記した一対のパージガス導入路２ｂ，２ｂに対応して形成されており、これらのパージガス導入口２ｃ、２ｃは、それぞれのパージガス導入路２ｂ、２ｂに連通している。
また、材料導入ブロック４の内部に形成された材料導入路４ａと、その上に置かれる基台３に形成された連通路３ａ、その上の測定ブロック２の内部に形成された材料測定路２ａ、更にその上方に置かれる材料導出ブロック１に形成した材料導出路１ａとは、後者のブロックに形成した通路の内口径が、前者の材料導入ブロックに形成した材料導入路４ａの内口径よりも大きく（例えば、２倍程度が望ましい）なっており、これによって、材料輸送管路８から測定ブロック２の材料測定路２ａに入った粉体を更に分散化させた状態で濃度が測定できるようになっている。
なお、上記のように、接地（アース）する構造を取ることにより、静電気付着を生ずるような粉体であっても静電気による凝集が解消され、精度よく測定が可能となる。
外部から供給されるパージガス及び粉体の気力輸送に用いられる気体の種類は特に限定されないが、例えば、空気、窒素などが挙げられる。
投光器Ｓと受光器Ｒとは、基台３の上で、測定ブロック２の一対の透光窓５，５のそれぞれに近接するようにして配置され、信号線Ｌｓを通じて、粉体濃度演算手段６に接続されている。
ここに粉体濃度演算手段６は、光ビーム駆動手段（不図示）によって駆動された投光器Ｓから照射される光ビームが、材料測定路２ａを通じて受光器Ｒで受光された光量に基づいて、粉体濃度を算出している。すなわち、粉体濃度演算手段６では、材料測定路に粉体を導入した状態で受光器Ｒが受光した光量と、材料測定路に粉体を導入しないときに受光器Ｒが受光した光量（初期光量）とを比較して、そのとき得られる光の減衰量に基づいて、所定の演算処理を行なって粉体濃度を算出している。
このような粉体濃度演算手段６は、測定すべき粉体の粒子径、粉体の種類に応じて予め準備された基準テーブルを備えておけば、測定すべき粉体の種類や粒径に応じて基準テーブルを選択し、算出したデータと比較や更正演算を行なうだけで濃度測定を行い、迅速化できるが、そのようなものには限定されない。この粉体濃度演算手段６によって演算測定された粉体濃度は、表示部（不図示）などに数値データとして出力される。
このような構造の本発明の粉体濃度測定器Ａによれば、一対のパージガス導入口２ｃ、２ｃからパージガスを供給しながら、粉体の材料輸送管路８を材料導入ブロック４に接続して、気力輸送されて来る粉体を導入した状態で、測定ブロック２の透光窓５に近接して設置した投光器Ｓから光ビームを材料測定路２ａに通じると、受光器Ｒは、投光器Ｓから照射された光ビームを材料測定路内の粉体で減弱した強度で受光し、粉体濃度演算手段６では、受光した光ビームの減弱度合いに応じた粉体濃度を演算して出力するので、材料測定路内を通過する粉体濃度が、その場でリアルタイムに測定できる。
そして、このような濃度測定器Ａでは、このようにして粉体濃度を測定するとき、材料導入ブロック４に粉体材料を導入する前段階で、一対のパージガス導入口２ｃ，２ｃを通じてパージガスを導入すれば、導入されたパージガスは、パージガス導入路２ｂ、２ｂを通じて、測定ブロック２の材料測定路２ａに入ると同時に、透光窓５，５の内面にも吹き付けられ、その後は粉体の輸送ガスに合流して、そこから材料導出路１ａに入って外部に供給される。
したがって、パージガスをパージガス導入口２ｃ、２ｃより導入すると、パージガスは、透光窓５，５の内面に設けた透光性の高い硬質材料に付着する埃などを除去するクリーンガスとして機能するだけでなく、材料測定路２ａの内方に向かう気流を生じるので、材料測定路２ａに輸送されて来た粉体がパージガス導入路２ｂ、２ｂに入り込むのを防止し、透光窓５，５の内面に付着することがない。
そのため、投光器Ｓから照射された光ビームは、透光窓５を通じて、材料測定路２ａ内に入り、そこで煙状態で飛散している粉体を通過した後、もう一方の透光窓５から外方に出て受光器Ｒによって受光されるため、材料測定路２ａ内を煙となって通過する粉体の濃度に応じた正確な測定が可能となる。
また、図例の濃度測定器Ａでは、パージガスは、投光器Ｓや受光器Ｒとは関係しない、パージガス導入路２ａ，２ａと、透光窓５，５とは直交するパージガス導入口２ｃ、２ｃを通じて、材料測定路２ａ内に送り込まれているので、パージガスが投光器Ｓや受光器Ｒに当たることがなく、したがって、これらに悪影響を与えることもない。
更に、このような粉体濃度測定器Ａでは、パージガス導入口２ｃ、２ｃから導入したパージガスは、パージガス導入路２ｂ、２ｂを通じて、材料測定路２ａに入り、粉体を輸送して来た輸送ガスと合流するため、材料輸送管路が長くなり、輸送圧が低下した場合には、加えるパージガスの供給量を制御することによって、輸送圧の低下を調整することもできる。
更に、パージガスが粉体を輸送してきた輸送ガスと合流するため、輸送された粉体の分散性が高まり、いっそう測定精度を向上させる効果がある。
また、粉体濃度測定器Ａを、図示したような、複数のブロックを組あわせた構造にした場合には、これらの分解も容易であり、材料測定路などの清掃も容易に行なえる。
第２図は、本発明の粉体濃度測定器を用いた、粉体噴霧量自動制御システムを示している。
この図では、粉体噴霧装置Ｂから外部滑沢打錠機Ｃに滑沢剤を供給するシステムへの応用例を示しており、Ａは前述した粉体濃度測定器であり、Ｂは滑沢剤粉末を粉体として噴霧する粉体噴霧装置、Ｃは外部滑沢打錠機を示している。
粉体噴霧装置Ｂについて説明すると、この粉体噴霧装置Ｂは、粉体として滑沢剤粉末を貯留したホッパー状の材料貯留室１０の下方に、加圧エアーを注入して開、閉駆動する材料補給バルブ１３を設けた分散室１１を設けており、この分散室１１は弾性振動膜１２によって上下を分離した密閉構造になっている。
ここに、弾性振動膜１２は、シリコンゴムなどの弾性力に富む素材で構成され、その中央や、複数適所に通常の状態では、粉体が落下しない細いスリット孔１２ａを形成しており、その上面に所定量の粉体Ｐを堆積させた状態で、分散室１１に導入した脈動空気で振動を加えて振動させることによって、その振動数に応じた量の粉体Ｐを分散室１１に落下させ、粉体吐出口Ｔ４より噴霧供給するようにしている。
材料貯留室１０は、下方を先細り状態にしたホッパーとなっており、ホッパーの上部には、加圧ガス源に接続されたガス供給口Ｔ１、制御弁（不図示）を介して大気に通じたガス排気口Ｔ２、圧力センサＰ１を設けており、その底部には、加圧ガス源に接続された加圧ガス噴射ノズル１０ａを設けている。
ここに、ガス供給口Ｔ１とガス排気口Ｔ２とは、ホッパー内へ供給するガス圧を調整するために設けられ、加圧ガス噴射ノズル１０ａは、ホッパー内に加圧ガスを噴射して渦流を形成することで、ホッパー内で固結化した粉体の塊を崩すようにしている。
また、一方の分散室１１は、脈動空気供給源（不図示）に接続された脈動空気導入口Ｔ３と、材料輸送管路８を通じて、上記した粉体濃度測定器Ａの材料導入ブロック４に接続される粉体吐出口Ｔ４とを設けた、密閉した筒体を構成しており、弾性振動膜１２で分離された上、下の各室には、圧力センサＰ２、Ｐ３を設けるとともに、上室には、上記した弾性振動膜１２上に貯留される粉体を検出するための透過式のレベルセンサＬＳを設けている。また、上、下の各室は、バイパス連通管９で相互に連通されて、双方の内圧を均衡させている。
このような構造の粉体噴霧装置Ｂによれば、弾性振動膜１２上に堆積される粉体は、レベルセンサＬＳによって、その堆積量が検知され、堆積量が所定レベルを下回ると、材料補給バルブ１３が降下して、一定量の粉体が材料貯留室１０から落下補給されるが、材料補給バルブ１３を開く際には、材料貯留室１０、分散室１１の上室に設けたそれぞれの圧力センサＰ１、Ｐ２で双方の内圧を検出し、材料貯留室１０の内圧と分散室１１の内圧とを均衡した状態に調整する。
第３図（ａ）〜（ｃ）は、このような粉体噴霧装置Ｂにおける噴霧原理を示している。
分散室１１では、振動膜１２の上面に所定量の粉体Ｐが堆積され、その状態で分散室１１に脈動空気を供給すると、弾性振動膜１２は、脈動空気に応じて上、下に振動する。
このときの弾性振動膜１２の変化を微細に観察すれば、脈動空気による圧力を受けて弾性振動膜１２が上方に変形すると、その上面に堆積した粉体Ｐは、上方にバウンドし（第３図（ａ）参照）、ついで、中立状態（第３図（ｂ）参照）から、今度は下方に変形する（第３図（ｃ）参照）。
すると、このような弾性弾性膜１２の変形によって、そこに形成したスリット孔１２ａは、弾性振動膜１２が上方に変形したときには、上方が広くなったＶ字状態に開いて、その間に粉体Ｐを収容し、ついで中立状態になると、スリット孔１２ａは、粉体Ｐを挟み込み、更に、下方に変形すれば、スリット孔１２ａは逆Ｖ字状に開き、このとき挟み込んだ粉体Ｐを分散室１１内に落下させる。
このような粉体噴霧装置Ｂでは、弾性振動膜１２に形成したスリット孔１２ａの数、形状を特定し、更に弾性振動膜１２上に堆積させる粉体量を、レベルセンサＬＳによって設定しておけば、弾性振動膜１２は脈動空気の振動数に応じて噴霧量が規定される。
したがって、制御手段（不図示）は、粉体噴霧装置Ｂによって吐出された粉体の濃度と、制御目標値とを比較し、その差をなくすように、圧縮空気もしくは圧縮空気を用いて発生させた脈動空気の風量、振動数や材料貯留室に貯留される粉体貯留量あるいはこれらの少なくとも１以上を制御することによって、噴霧量を正確に制御できる。
このようにして、分散室１１では、粉体Ｐが落下すると、脈動空気の気流に乗って吐出口Ｔ４から材料輸送管路８内に排出され、排出された粉体は、材料輸送管路８を通じて、粉体濃度測定器Ｂに入って上記した原理で測定される。
また、このようにして濃度が測定された粉体は、更に輸送管路８を通じて外部滑沢打錠機Ｃに送られ、ここで外部滑沢剤として、上、下杵の材料接触面や、下臼の内面に塗布されて、錠剤が打錠される。このようにして製造された錠剤は、その内部に滑沢剤を含まないため、崩壊性が良く、吸収性の良い錠剤として使用される。
なお、粉体噴霧装置Ｂは、分散室に弾性振動膜を設けて、脈動空気で強制振動させる図例のようなものには限定されない。その代替としては、分散室に圧縮空気を導入させて、粉体吐出口から吐出すようなものであってもよい。
また、第２図に示した粉体噴霧量自動制御システムでは、外部滑沢打錠機Ｃの粉体噴霧装置Ｂから噴霧される滑沢剤の塗布濃度が、粉体濃度測定器Ａで計測された後、予め設定された目標濃度と比較され、その測定濃度が目標濃度よりも低い場合には、脈動空気の風量、振動数や振動膜上に堆積される滑沢剤の量などのいずれか１以上の制御因子が増大方向にフィードバック制御され、逆に、その測定濃度が目標濃度よりも高い場合には、それらの１以上の制御因子が減少方向にフィードバック制御され、自動的に制御できる。
【産業上の利用可能性】  以上、詳細に説明したように、請求の範囲第１項、第２項に記載された本発明に係る粉体濃度測定器では、材料測定路に屈曲部を設けておらず、しかも材料測定路の外方に投光器、受光器を配置する構造であるので、構造が簡単な上に設置も容易であり、設置に必要なスペースも軽減できる。
また、投光器から照射され、受光器で光ビームが受光されると、粉体濃度演算手段で演算測定されるので、リアルタイムに計測を行なうことが出来る。特に、請求の範囲第２項に提案したように、材料測定路の内口径を材料輸送管路よりも大きく形成しておくと、輸送ガスとともに材料輸送管内を輸送されて来た粉体は、材料測定路内で広がるために、更に分散させて目的場所に輸送でき、その状態で正確に測定することが出来る。
更に、材料測定路を横断する方向に設けた一対のパージガス導入路から導入したパージガスを一対の透光窓へ吹き付けた後に、材料測定管路に導く構造であるので、材料測定路を通過する粉体が透光窓へ逆流することがなく、したがって、透光窓には粉体や、塵、埃を付着させずに常にクリーンな状態に保持できるので、精度の高い測定が可能となる。
また、パージガスが粉体を輸送して来た輸送ガスと合流するため、輸送された粉体の分散性が高まり、測定精度を向上させる効果もある。
また、粉体濃度測定器を、実施例のように、複数のブロックを組み合わせた構造体に形成すれば、これらのブロックを容易に分解して、清掃も容易である。
一方、請求の範囲第３項に記載された本発明の粉体噴霧量自動制御システムによれば、圧縮空気もしくは圧縮空気を用いて発生させた脈動空気の導入によって粉体吐出量が制御できる粉体噴霧装置によって噴霧された粉体は、粉体濃度測定器で測定され、制御目標値と比較されて、その差を補正するように、制御因子が制御されるので、精度の高い自動噴霧システムが提供できる。
また、請求の範囲第４項に記載された本発明の粉体噴霧量自動制御システムによれば、外部滑沢剤用打錠機を使用して錠剤を製造する際に、噴霧すべき滑沢剤の調整量を正確に制御できるので、精度の高い外部滑沢錠剤を製造することができる。
【図１】
2004005900.tif 000003
【図２】
2004005900.tif 000004
【図３】
2004005900.tif 000005
【図４】
2004005900.tif 000006
【国際調査報告】
2004005900.tif 000007
2004005900.tif 000008